(57)【要約】【課題】  合成画像やフォトアルバムを作成する際には、元となる画像データを加工する必要がある。一旦画像データを加工し保存してしまうと、元には復元できない。一方、元となる画像データを保存しておこうとすると、加工後の画像用に新たな保存領域が必要となってしまう。【解決手段】  格納済みの１つ以上の画像の少なくとも一部領域を背景などに適用する参照画像領域として指定する参照画像指定工程と、参照画像指定工程によって指定された参照画像情報を格納するための参照画像記憶工程と、参照画像記憶工程に格納された参照画像情報と前記画像データ記憶工程に格納された画像データとを合成して合成画像を生成するための画像合成処理工程を設け、参照画像情報は、前記画像データ記憶手段に格納された画像データと合成されるべく、関連付けがなされている。【選択図】        図１
2005236372.tif 000002
【特許請求の範囲】
【請求項１】
映像信号を入力する映像入力手段と、入力された映像信号をデジタル変換して画像データを生成する画像入力変換手段と、生成した画像データを格納する画像データ記憶手段と、画像データを画像データ記憶手段に格納する画像データ格納手段と、格納された画像データを出力用に変換するための画像出力変換手段と、出力用に変換された単独または複数の画像データを出力するための画像出力手段を備えた画像処理装置において、
格納済みの１つ以上の画像の少なくとも一部領域を背景などに適用する参照画像領域として指定する参照画像指定手段と、
前記参照画像指定手段によって指定された参照画像情報を格納するための参照画像記憶手段と、
前記参照画像記憶手段に格納された参照画像情報と前記画像データ記憶手段に格納された画像データとを合成して合成画像を生成するための画像合成処理手段を設け、
前記参照画像情報は、前記画像データ記憶手段に格納された画像データと合成されるべく、関連付けがなされていることを特徴とする画像合成装置。
【請求項２】
さらに、合成後の画像を、デジタルカメラ装置に内蔵されているかもしくは有線または無線により接続されたディスプレイ装置へ出力する出力手段を有することを特徴とする請求項１に記載の画像合成方法。
【請求項３】
前記画像合成処理手段は、前記参照画像記憶手段に格納された参照画像情報および前記画像データ記憶手段に格納された画像データのどちらかまたは両方に対して透明度を設定したコンポジット処理を行うことを特徴とする請求項１に記載の画像合成方法。
【請求項４】
前記画像合成処理手段は、前記参照画像記憶手段に格納された参照画像情報および前記画像データ記憶手段に格納された画像データに適用される排他演算や乗算などの合成モードを設定したコンポジット処理を行うことを特徴とする請求項１に記載の画像合成方法。
【請求項５】
前記画像合成処理手段は、前記参照画像記憶手段に格納された参照画像情報に対して縮小や回転などの１次元座標変換を適用したコンポジット処理を行うことを特徴とする請求項１に記載の画像合成方法。
【請求項６】
前記参照画像記憶手段に格納された参照画像情報に対して特殊効果を適用するための参照画像処理手段をさらに設け、特殊効果が付与された参照画像情報を前記画像合成処理手段によって合成するように構成したことを特徴とする請求項１に記載の画像合成方法。
【請求項７】
合成時に適用する特殊効果を記述した複数の特殊効果情報をあらかじめ格納しておくための特殊効果情報記憶手段をさらに設け、前記参照画像処理手段が複数の特殊効果の中から特定の特殊効果を選択して適用できるように構成したことを特徴とする請求項６に記載の画像合成方法。
【請求項８】
前記特殊効果情報記憶手段に格納される特殊効果情報を、デジタルカメラ装置の外部から転送することができるように外部入力手段をさらに設けたことを特徴とする請求項１に記載の画像合成方法。
【請求項９】
前記外部入力手段は、ＵＳＢまたはＩＥＥＥ１３９４インタフェース装置からの入力を行うものであることを特徴とする請求項８に記載の画像レイアウト方法。
【請求項１０】
前記参照画像情報は、合成すべき画像データを指定する情報を有することを特徴とする請求項１ないし９のいずれか１項に記載の画像処理装置。
【請求項１１】
映像信号を入力する映像入力工程と、入力された映像信号をデジタル変換して画像データを生成する画像入力変換工程と、生成した画像データを格納する画像データ記憶工程と、画像データを画像データ記憶手段に格納する画像データ格納工程と、格納された画像データを出力用に変換するための画像出力変換工程と、出力用に変換された単独または複数の画像データを出力するための画像出力工程を備えた画像処理方法において、
格納済みの１つ以上の画像の少なくとも一部領域を背景などに適用する参照画像領域として指定する参照画像指定工程と、
前記参照画像指定工程によって指定された参照画像情報を格納するための参照画像記憶工程と、
前記参照画像記憶工程に格納された参照画像情報と前記画像データ記憶工程に格納された画像データとを合成して合成画像を生成するための画像合成処理工程を設け、
前記参照画像情報は、前記画像データ記憶手段に格納された画像データと合成されるべく、関連付けがなされていることを特徴とする画像合成方法。
【請求項１２】
請求項１１に記載された画像合成方法を使用するコンピュータ装置またはデジタルカメラ装置で、解行することのできるプログラムを格納したことを特徴とする記憶媒体。
【発明の詳細な説明】
【技術分野】
【０００１】
本発明は、画像合成装置、画像合成方法、画像処理装置、画像レイアウト方法および記憶媒体に関し、特にデジタルカメラ装置における画像合成方法に関するものである。
【背景技術】
【０００２】
近年、ＣＣＤ入力装置より入力した映像をデジタル変換して画像データとして記憶装置に格納するいわゆるデジタルカメラ装置が実用化され、デジタル画像の作成手段として広く利用されるようになった。こうしたデジタルカメラ装置によって撮影された画像は、プリンタ装置で印刷することによって従来の銀塩写真と同様に鑑賞できるだけでなく、デジタルカメラ装置に内蔵された表示装置に表示させて鑑賞することができる（特許文献１参照）。
【特許文献１】特開平１１−０９８４０４号公報
【発明の開示】
【発明が解決しようとする課題】
【０００３】
しかしながら、上記従来例のデジタルカメラ装置においては、複数の画像の合成を行い、視覚的な装飾を施した合成画像やフォトアルバムを作成するといったビジュアルコミュニケーション性を支援する機能が求められる用途には適していないという欠点があった。このことは、デジタルカメラ装置に内蔵された表示装置に画像を表示させて鑑賞する際の大きな制約となってきた。
【０００４】
こうした欠点を解決する方法としては、デジタルカメラ装置で撮影された画像データをコンピュータ装置に転送し、コンピュータ装置上で動作するプログラムを使用することによって合成画像を作成した上で、再度デジタルカメラ装置に転送して表示するという方法が考えられる。
【０００５】
しかしながら、上記の解決方法においては、はじめに画像データをコンピュータ装置に転送する必要があるため、デジタルカメラ装置単体で合成画像を作成することの利便性は得られず、さらに、画像の撮影から参照画像情報の付加およびデジタルカメラ装置での表示に至る過程の操作は、多くのステップを要する非常に煩雑な手続きになるという問題がある。
【０００６】
また、合成画像やフォトアルバムを作成する際には、元となる画像データを加工する必要がある。一旦画像データを加工し保存してしまうと、元には復元できない。そのため、元となる画像データを保存しておこうとすると、加工後の画像用に新たな保存領域が必要となる。このことは、記憶領域に制限のあるデジタルカメラ装置において合成画像やフォトアルバムを作成する際の制約となる。
【０００７】
本発明は上記の実情に鑑みてなされたものであり、その目的とするところは、デジタルカメラ装置単体で合成画像やフォトアルバムを作成するとともに表示できるようにすることによって鑑賞の利便性を向上させた画像合成装置、画像合成方法、画像処理装置、画像レイアウト方法および記憶媒体を提供することである。
【０００８】
また本発明は、画像データ自体を直接加工することなく参照画像情報を付加した画像を得ることができる画像合成装置、画像合成方法、画像処理装置、画像レイアウト方法および記憶媒体を提供することを目的とする。
【課題を解決するための手段】
【０００９】
上記目的を達成するために、本発明の画像合成方法は以下のような構成要素を備えるようにした。すなわち、
撮影済みの１つ以上の画像の少なくとも一部領域を参照画像領域として指定する参照画像指定手段と、
前記参照画像指定手段によって指定された１つ以上の参照画像領域をデジタル処理して参照画像情報に変換する参照画像変換手段と、
前記参照画像変換手段によって得られた参照画像情報を格納するための参照画像記憶手段と、
前記参照画像記憶手段に格納された参照画像情報と前記画像データ記憶手段に格納された画像データとを合成して合成画像を生成するための画像合成処理手段を設け、
前記参照画像指定手段から指定した参照画像情報を付加した画像を前記画像データ記憶手段に格納された画像データ自体を加工することなく生成して画像出力手段から出力できるように構成した。
【００１０】
すなわち、本発明の技術内容は以下の構成を備えることにより前記課題を解決できた。
【００１１】
（１）映像信号を入力する映像入力手段と、入力された映像信号をデジタル変換して画像データを生成する画像入力変換手段と、生成した画像データを格納する画像データ記憶手段と、画像データを画像データ記憶手段に格納する画像データ格納手段と、格納された画像データを出力用に変換するための画像出力変換手段と、出力用に変換された単独または複数の画像データを出力するための画像出力手段を備えた画像処理装置において、格納済みの１つ以上の画像の少なくとも一部領域を背景などに適用する参照画像領域として指定する参照画像指定手段と、前記参照画像指定手段によって指定された参照画像情報を格納するための参照画像記憶手段と、前記参照画像記憶手段に格納された参照画像情報と前記画像データ記憶手段に格納された画像データとを合成して合成画像を生成するための画像合成処理手段を設け、前記参照画像情報は、前記画像データ記憶手段に格納された画像データと合成されるべく、関連付けがなされていることを特徴とする画像合成装置。
【００１２】
（２）さらに、合成後の画像を、デジタルカメラ装置に内蔵されているかもしくは有線または無線により接続されたディスプレイ装置へ出力する出力手段を有することを特徴とする前記（１）に記載の画像合成方法。
【００１３】
（３）前記画像合成処理手段は、前記参照画像記憶手段に格納された参照画像情報および前記画像データ記憶手段に格納された画像データのどちらかまたは両方に対して透明度を設定したコンポジット処理を行うことを特徴とする前記（１）に記載の画像合成方法。
【００１４】
（４）前記画像合成処理手段は、前記参照画像記憶手段に格納された参照画像情報および前記画像データ記憶手段に格納された画像データに適用される排他演算や乗算などの合成モードを設定したコンポジット処理を行うことを特徴とする前記（１）に記載の画像合成方法。
【００１５】
（５）前記画像合成処理手段は、前記参照画像記憶手段に格納された参照画像情報に対して縮小や回転などの１次元座標変換を適用したコンポジット処理を行うことを特徴とする前記（１）に記載の画像合成方法。
【００１６】
（６）前記参照画像記憶手段に格納された参照画像情報に対して特殊効果を適用するための参照画像処理手段をさらに設け、特殊効果が付与された参照画像情報を前記画像合成処理手段によって合成するように構成したことを特徴とする前記（１）に記載の画像合成方法。
【００１７】
（７）合成時に適用する特殊効果を記述した複数の特殊効果情報をあらかじめ格納しておくための特殊効果情報記憶手段をさらに設け、前記参照画像処理手段が複数の特殊効果の中から特定の特殊効果を選択して適用できるように構成したことを特徴とする前記（６）に記載の画像合成方法。
【００１８】
（８）前記特殊効果情報記憶手段に格納される特殊効果情報を、デジタルカメラ装置の外部から転送することができるように外部入力手段をさらに設けたことを特徴とする前記（１）に記載の画像合成方法。
【００１９】
（９）前記外部入力手段は、ＵＳＢまたはＩＥＥＥ１３９４インタフェース装置からの入力を行うものであることを特徴とする前記（８）に記載の画像レイアウト方法。
【００２０】
（１０）前記参照画像情報は、合成すべき画像データを指定する情報を有することを特徴とする前記（１）ないし（９）のいずれか１項に記載の画像処理装置。
【００２１】
（１１）映像信号を入力する映像入力工程と、入力された映像信号をデジタル変換して画像データを生成する画像入力変換工程と、生成した画像データを格納する画像データ記憶工程と、画像データを画像データ記憶手段に格納する画像データ格納工程と、格納された画像データを出力用に変換するための画像出力変換工程と、出力用に変換された単独または複数の画像データを出力するための画像出力工程を備えた画像処理方法において、格納済みの１つ以上の画像の少なくとも一部領域を背景などに適用する参照画像領域として指定する参照画像指定工程と、前記参照画像指定工程によって指定された参照画像情報を格納するための参照画像記憶工程と、前記参照画像記憶工程に格納された参照画像情報と前記画像データ記憶工程に格納された画像データとを合成して合成画像を生成するための画像合成処理工程を設け、前記参照画像情報は、前記画像データ記憶手段に格納された画像データと合成されるべく、関連付けがなされていることを特徴とする画像合成方法。
【００２２】
（１２）前記（１１）に記載された画像合成方法を使用するコンピュータ装置またはデジタルカメラ装置で、解行することのできるプログラムを格納したことを特徴とする記憶媒体。
【発明の効果】
【００２３】
本発明によれば、デジタルカメラ装置単体で参照画像情報付合成画像を作成するとともに表示できるようにすることによって鑑賞の利便性が向上するという効果がある。
【００２４】
また本発明によれば、画像データ自体を直接加工することなく参照画像情報を付加した合成画像を得ることができるという効果がある。
【００２５】
また本発明によれば、画像データと参照画像情報は独立して扱うことができるため、同一の画像データに対して参照画像情報を組み合わせて多様な参照画像情報付合成画像を得ることができるという効果がある。
【００２６】
さらに、特殊効果情報の表現にＸＭＬの標準規格を使用した場合には、ＸＭＬに対応した一般的なツールやテキストエディタを用いて特殊効果情報を編集できるため、特殊効果情報作成の負担が軽減するという効果が得られる。
【００２７】
また、参照画像情報付合成画像の表現にＳＶＧの標準規格を使用した場合には、ＳＶＧに対応した一般的なインターネット閲覧ソフトウェアを用いて参照画像情報付合成画像を表示できるため、参照画像情報付合成画像鑑賞の利便性が向上するという効果が得られる。
【発明を実施するための最良の形態】
【００２８】
以下、本発明の詳細をその実施の形態にもとづいて図面を参照しながら説明する。
【実施例１】
【００２９】
図１は本発明の第１の実施形態によるデジタルカメラの構成を示すブロック図である。
【００３０】
図１において、制御部１には撮像部２１、モード切替スイッチ３、特殊効果選択スイッチ４、特殊効果決定スイッチ５、シャッターボタン６、参照画像保存スイッチ７、参照画像情報付合成画像選択スイッチ８、参照画像情報消去スイッチ１５、参照画像選択スイッチ１６、画像領域決定スイッチ１７、参照画像レイアウトスイッチ１８からそれぞれ信号が入力される。また制御部１から記録部１１に対して出力がなされる。また、制御部１はＲＡＭ９、ＲＯＭ１０に接続している。
上記各部のうち、撮像部２１は、被写体画像をデジタル信号に変換して制御部１に入力する。モード切替スイッチ３はデジタルカメラのモードを撮影モード、再生モードのいずれかに切り替えるスイッチである。
【００３１】
上記記録部１１は画像データの記録媒体への記録や記録媒体から読み込みを行うためのインタフェースである。また、同時に上記記録部１１は参照画像の読み込み、書き込みができる。
【００３２】
上記表示部２は、２つの部分に分かれ、表示パネル部はデジタルカメラのファインダーであるとともに、再生時にはディスプレイとなる。また、ＳＶＧ（Ｓｃａｌａｂｌｅ  Ｖｅｃｔｏｒ  Ｇｒａｐｈｉｃｓ）標準規格によって記述された内容を解釈し、動的に画像を生成して表示する機能を併せ持つ。また、もう１つの部分であるタッチパネル部はペンなどの入力装置との接触をデジタル信号に変換し、制御部１に出力する機能を持つ。
【００３３】
ＳＶＧ標準規格は、ＸＭＬ（Ｅｘｔｅｎｓｉｂｌｅ  Ｍａｒｋｕｐ  Ｌａｎｇｕａｇｅ）標準規格の文法に従って定義されたマークアップ言語である。ＳＶＧはタグによって表現が全て記述されており、ＳＶＧで記述されたファイルを表示する段階で始めて、その記述を解釈・実行する。つまり、ＳＶＧの記述の中で画像のサイズ指定や特殊効果などの表現を記述すれば、その対象となる画像データ自体を直接加工する必要なく、記述された表現の画像を表示することが出来る。
【００３４】
次に、上記のように構成されたデジタルカメラの実施例における撮影モードについて説明する。撮影モード時の処理は、モード切替スイッチ３によって、デジタルカメラのモードが撮影モードに設定されたときに開始する。図２は撮影モード時の処理の流れを示した図である。まず、撮像部２１は被写体像をデジタル信号に変換し、制御部１に入力し、さらに表示部２の表示パネルに転送する（ステップ１０１）。参照画像情報の付加が有効かどうかを判断する処理を設け（ステップ１０２）、有効であればＲＯＭ１０からＲＡＭ９に参照画像情報テンプレートのＳＶＧ文書（図４参照）を転送し、これを参照画像情報とした上で、ステップ１０３に進む。なお、参照画像情報テンプレートのＳＶＧ文書には１つだけ＜ｉｍａｇｅ＞要素を含むが、追加することにより複数の＜ｉｍａｇｅ＞要素を含むことができるものとする。つまり、参照画像情報付合成画像に対して、更に新規撮影画像を加えた合成画像を作成することが可能である。
【００３５】
ここで、参照画像選択処理（ステップ１０３）について説明する。まず、参照画像情報に特殊効果を適用するかどうかを選択し（ステップ２０１）、適用する場合はステップ２０２に進む。一方、特殊効果を適用しない場合はステップ２０４に進む。
【００３６】
ここで、特殊効果情報はＳＶＧ標準規格に従って記述されており、ＲＯＭ１０あるいは記録部１１の記録媒体にファイルとして複数存在する。特殊効果選択スイッチ４でそのうちの１つを選択し、特殊効果決定スイッチ５によって適用する特殊効果を決定する（ステップ２０２）。適用する特殊効果情報の記述内容（図５参照）をＲＡＭ９に転送して、参照画像情報に追加する（ステップ２０３）。
【００３７】
ステップ２０４において、参照画像選択スイッチ１６によって参照する画像を選択する。次にステップ２０５において画像領域決定スイッチ１７から参照画像領域を決定する。このとき、特殊効果が選択されていた場合は画像の属性としてその特殊効果を設定する。さらに、ステップ２０６において参照画像の配置を行う。この処理は図１１に示したような参照画像レイアウトスイッチ１８を用い、参照画像の配置を変更する。
【００３８】
次に合成画像表示処理（ステップ２０６）について説明する。この処理では、ＲＡＭ９に存在する参照画像情報を解析し、それに基づいて合成画像データを生成し、表示部２に出力する。図７に示したのがＲＡＭ９に存在する参照画像情報の１つの例である。また、図８は被写体像に図７の参照画像情報を付加した結果の合成画像である。
【００３９】
さらに、参照画像情報を追加する場合にはステップ２０１に戻り、参照画像追加が完了するまで繰り返す。
【００４０】
図２に戻り、記録処理（ステップ１０４、ステップ１０５）について説明する。シャッターボタン６が押下されるまでは、処理はステップ１０２へ戻る。シャッターボタン６が押下されると、撮像部２１から被写体像がデジタル信号に変換され、記録部１１の記録媒体にファイルとして保存される。さらに、保存されたときのファイル名を取得し、ＲＡＭ９に存在する参照画像情報の＜ｉｍａｇｅ＞要素のｘｌｉｎｋ：ｈｒｅｆ属性の属性値を、そのファイル名に変更する。そしてＲＡＭ９上に構築された参照画像情報を記録部１１に出力し、記録媒体に保存し、再びステップ１０２に戻る。
【００４１】
なお、上記各処理のいずれかの時点で参照画像情報消去スイッチ１５が押下されることによって、ＲＡＭ９上の参照画像情報は消去される。
【００４２】
次に、再生モードについて説明する。再生モード時の処理はモード切替スイッチ３によってデジタルカメラのモードが再生モードに設定された場合に開始される。再生モード時の処理の流れを図９に示した。まず記録部１１の記録媒体に存在する参照画像情報付合成画像、つまりＳＶＧで記述された合成画像情報を参照画像情報付合成画像選択スイッチ８によって選択し、参照画像情報をＲＡＭ９に転送する（ステップ３０１）。次にＲＡＭ９に存在する参照画像情報を解析し、記録部１１の記録媒体に存在する画像データと合わせて合成画像データを生成し、表示部２に出力する（ステップ３０２）。参照画像情報を編集する場合は参照画像編集処理（ステップ３０３）に移る。処理は図３に示したとおりで、撮影時の処理と同じである。さらに参照画像保存スイッチ７により、記録処理を行う。この処理は、ＲＡＭ９上に構築された参照画像情報を記録部１１に出力し、記録媒体に保存する。
【００４３】
また図１０に示したように、参照画像付合成画像を削除する場合には、参照画像の削除を確認した後に、それぞれの画像と参照画像の情報が削除される。
【実施例２】
【００４４】
図１２は本発明の第２の実施形態によるデジタルカメラ装置の構成を示すブロック図である。
【００４５】
図１２において、制御部１０１には撮像部１０２、操作部１０３、モード切替スイッチ１０８、選択スイッチ１２２、決定スイッチ１２３、通信インタフェース１１４、および無線ネットワークインタフェース１２４からそれぞれ信号が入力される。また制御部１０１から記録部１０４、表示部１０７、通信インタフェース１１４、無線ネットワークインタフェース１２４に対して出力がなされる。記録部１０４は、記録媒体１２１と接続している。また、制御部１０１は、ＲＯＭ１０５、ＲＡＭ１０６に接続している。
【００４６】
上記各部のうち、制御部１０１、撮像部１０２、操作部１０３、記録部１０４、ＲＯＭ１０５、ＲＡＭ１０６、表示部１０７、モード切替スイッチ１０８、選択スイッチ１２２、決定スイッチ１２３はデジタルカメラの本体部に設けられる。
【００４７】
上記各部のうち、撮像部１０２は被写体画像をデジタル信号に変換して制御部１０１に入力する。操作部１０３は、スイッチの操作により操作信号を制御部１０１に送ることができる。モード切替スイッチ１０８はデジタルカメラのモードを撮影モード、再生モードに切り替えるスイッチである。再生モードには通常の再生モードの他に、特殊効果情報転送モード、合成画像作成モード、画像プリントモードに区分される。選択スイッチ１２２は、特殊効果情報や画像データを選択する機能を持ち、決定スイッチ１２３は、選択された特殊効果情報や画像データを決定する機能を持つ。
【００４８】
上記記録部１０４は、画像データを記録媒体１２１に対して書き込みや読み込みを行うためのインタフェースである。また、記録部１０４は特殊効果情報や合成画像に対しても書き込みや読み込みを行う。通信インタフェース１１４や無線ネットワークインタフェース１２４は、外部から特殊効果情報を取得するためのインタフェースであり、パーソナルコンピュータ１１５と接続する。また、同時に合成画像を外部ディスプレイ装置やプリンタ装置への出力を行うためのインタフェースである。
【００４９】
上記表示部１０７は、デジタルカメラのファインダーであるとともに、再生時にはディスプレイとなる。また、ファイル名表示やその他の設定情報を表示し、特殊効果情報の設定や機能実行の指示を行うための情報を提供する。
【００５０】
特殊効果情報はＳＶＧ標準規格を利用して記述され、記録媒体１２１にファイルとして保存される。特殊効果情報テンプレートをＳＶＧで記述した例を、図５に示す。＜ｆｉｌｔｅｒ＞タグで囲まれた部分が特殊効果の記述である。＜ｆｉｌｔｅｒ＞要素のｉｄを参照して、特殊効果の情報を利用できる。特殊効果情報テンプレートはインターネットなどのＷｅｂサイト上からダウンロードを行うか、特殊効果情報が格納されたＣＤ−ＲＯＭなどから転送し、取得する。
【００５１】
図１３は外部から特殊効果情報を取得するために、パーソナルコンピュータのＷｅｂブラウザで閲覧していることを示した図である。Ｗｅｂブラウザ上でその効果を確認し、パーソナルコンピュータにダウンロードする。
【００５２】
図１４は外部から特殊効果情報を取得する際の処理の流れを示した図である。ここでは、パーソナルコンピュータを操作して、特殊効果の情報をデジタルカメラ装置に転送する例を示す。まずモード切替スイッチ８により、特殊効果転送モードに切り替える。ステップ８０１において、パーソナルコンピュータ上で転送したい特殊効果情報を選択する。次にステップ８０２において、転送に用いるインタフェースを通信インタフェース１１４や無線ネットワークインタフェース１２４などから選択し、接続する。選択した転送インタフェースと、接続対象のパーソナルコンピュータとの接続を確認したら、ステップ８０３において特殊効果情報の転送を開始し、ステップ８０４において記録媒体２１に保存する。保存処理が終わると、特殊効果転送処理は終了となる。
【００５３】
次に、特殊効果付合成画像作成モードについて説明する。図１５に示した流れに沿って説明を行う。まずモード切替スイッチ８により、合成画像作成モードに切り替える。はじめにステップ９０１において記録媒体１２１に保存されている画像データからベースとなる特殊効果を設定したい画像を選択する。
【００５４】
選択された画像のファイル名は、ＲＡＭ１０６に一時保存される。ステップ９０２における特殊効果の選択では、ＲＯＭや記録媒体に保存されている特殊効果の中から、設定する特殊効果を選択する。特殊効果情報に対応する、＜ｉｍａｇｅ＞要素のｘｌｉｎｋ：ｈｒｅｆの値を選択した画像データのファイル名に変更する。さらに画像を選択を繰り返して，特殊効果付合成画像を作成する。
【００５５】
ステップ９０３において選択した画像の領域の決定、及びステップ９０４において選択した画像の配置の決定を行う。
【００５６】
ステップ９０５において変更した特殊効果情報付合成画像を保存するかの確認がされ、保存する場合はステップ９０６において記録媒体１２１の保存処理をして終了となる。保存しない場合は、そのまま終了となる。
【００５７】
特殊効果を設定する中で、もし気に入った特殊効果が見つからない場合には、先に説明した特殊効果転送方法により、新しい特殊効果情報を外部から入力する。
【００５８】
本実施例では、外部からの特殊効果情報テンプレートをそのまま使用する形を採ったが、特殊効果情報はテキスト形式で、しかも公知の記述言語を用いるため、一般的なパーソナルコンピュータのテキストエディタを用いれば特殊効果情報の編集が可能である。
【００５９】
図１６は作成した特殊効果付画像をメールで送信する際の処理の流れを示した図である。まずモード切替スイッチ１０８により、特殊効果メール送信モードに切り替える。次に、ステップ１００１において記録媒体１２１の中から送信したい特殊効果付画像を選択する。送信したい特殊効果付画像を決定したら、ステップ１００２においてパーソナルコンピュータとの接続手段を選択する。接続手段としては、ＵＳＢやＩＥＥＥ１３９４などの通信インタフェース装置、有線または無線のネットワークインタフェース装置などから選択する。
【００６０】
選択した接続手段と、パーソナルコンピュータとの接続を確認したら、ステップ１００３において、メール送信の確認がされる。送信するならばステップ１００４において、パーソナルコンピュータから特殊効果情報とその設定画像データが送信された後、終了となる。送信しない場合は、そのまま終了となる。ＳＶＧ標準規格によって記述されているため、ＳＶＧに対応した一般的なメールアプリケーションを用いて、作成者が意図した通りの特殊効果表現付合成画像をメール受信者が鑑賞することができる。
【００６１】
次に、作成したアルバムを印刷する方法について説明する。図１７に示した流れに沿って説明を行う。まずモード切替スイッチ１０８により、アルバムプリントモードに切り替える。次に、ステップ１１０１において記録媒体１２１の中から印刷したいアルバムを選択する。印刷したい画像を決定したら、ステップ１１０２においてプリンタ２５への出力方法を選択する。出力手段としては、ＵＳＢやＩＥＥＥ１３９４などの通信インタフェース装置、有線または無線のネットワークインタフェース装置などから選択する。
【００６２】
選択した印刷方法と、印刷対象となるプリンタとの接続を確認したら、ステップ１１０３において、アルバム印刷の確認がされる。印刷するならばステップ１１０４において、プリンタに特殊効果情報とその画像データが出力処理された後、終了となる。印刷しない場合は、そのまま終了となる。プリンタがＳＶＧ標準規格によって記述された内容を解釈すると、作成者が意図した通りのレイアウトと特殊効果表現で印刷される。
【図面の簡単な説明】
【００６３】
【図１】本発明の第１の実施形態によるデジタルカメラの構成を示すブロック図である。
【図２】本発明の第１の実施形態における撮影時の処理の流れを示すフローチャート図である。
【図３】本発明の第１の実施形態における参照画像処理の流れを示すフローチャート図である。
【図４】本発明の第１の実施形態における参照画像情報テンプレートの記述例を示した図である。
【図５】本発明の第１の実施形態における特殊効果情報の記述例を示した図である。
【図６】本発明の第１の実施形態における参照画像情報の記述例を示した図である。
【図７】本発明の第１の実施形態における参照画像情報付合成画像の記述例を示した図である。
【図８】本発明の第１の実施形態における参照画像情報付合成画像の表示例を示した図である
【図９】本発明の第１の実施形態における再生時の処理の流れを示すフローチャート図である。
【図１０】本発明の第１の実施形態における参照画像付合成画像の削除時の処理の流れを示すフローチャート図である。
【図１１】本発明の第１の実施形態における参照画像のレイアウトスイッチを示す図である。
【図１２】本発明の第２の実施形態実施形態によるデジタルカメラの構成を示すブロック図である。
【図１３】本発明の第２の実施形態における特殊効果情報の取得方法を模式的に示した図である。
【図１４】本発明の第２の実施形態における特殊効果転送モードの処理の流れを示すフローチャート図である。
【図１５】本発明の第２の実施形態における再生モード時の特殊効果の設定の流れを示すフローチャート図である。
【図１６】本発明の第２の実施形態における特殊効果メール送信モードの処理の流れを示すフローチャート図である。
【図１７】本発明の第２の実施形態における作成したアルバムを印刷する方法の流れを示すフローチャート図である。
【符号の説明】
【００６４】
１  制御部
２  表示部
３  モード切替スイッチ
４  特殊効果選択スイッチ
５  特殊効果決定スイッチ
６  シャッターボタン
７  参照画像保存スイッチ
８  参照画像情報付合成画像選択スイッチ
９  ＲＡＭ
１０  ＲＯＭ
１１  記録部
１５  参照画像情報消去スイッチ
１６  参照画像選択スイッチ
１７  画像領域決定スイッチ
１８  参照画像レイアウトスイッチ
２１  撮像部
１０１  制御部
１０２  撮像部
１０３  操作部
１０４  記録部
１０５  ＲＯＭ
１０６  ＲＡＭ
１０７  表示部
１０８  モード切替スイッチ
１０９  レイアウト選択スイッチ
１１４  通信インタフェース
１１５  ＰＣ
１２１  記録媒体
１２２  選択スイッチ
１２３  決定スイッチ
１２４  無線ネットワークインタフェース
１２５  プリンタ
【図１】
2005236372.tif 000003
【図２】
2005236372.tif 000004
【図３】
2005236372.tif 000005
【図４】
2005236372.tif 000006
【図５】
2005236372.tif 000007
【図６】
2005236372.tif 000008
【図７】
2005236372.tif 000009
【図９】
2005236372.tif 000010
【図１０】
2005236372.tif 000011
【図１１】
2005236372.tif 000012
【図１２】
2005236372.tif 000013
【図１３】
2005236372.tif 000014
【図１４】
2005236372.tif 000015
【図１５】
2005236372.tif 000016
【図１６】
2005236372.tif 000017
【図１７】
2005236372.tif 000018
【図８】
2005236372.tif 000019